(57)【要約】【課題】  真偽判定精度が高く、改竄の痕跡が明瞭な遊技施設用景品を提供する。【解決手段】  一定以上の強度の外力が加わることにより、ＩＣチップ３が物理的に損壊し、正常動作が不能となる程度に、ＩＣチップ３表面の厚さを設定する。【選択図】  図３
2007209673.tif 000002
【特許請求の範囲】
【請求項１】
基材上に、アンテナおよび前記アンテナに接続されてなる１個以上のＩＣチップを有し、前記ＩＣチップの収納壁の少なくとも一部に、視覚情報を有する部材の少なくとも一部が固定されてなることを特徴とする個体認証媒体。
【請求項２】
基材上に、アンテナおよび前記アンテナに接続されてなる１個以上のＩＣチップを有し、前記ＩＣチップの収納壁の少なくとも一部に、視覚情報を有する部材の少なくとも一部が固定されてなり、前記視覚情報を有する部材の少なくとも一部が、前記ＩＣチップの収納壁の少なくとも一部から剥離する程度の外力を加えることにより、前記ＩＣチップが正常動作不能に損壊することを特徴とする個体認証媒体。
【請求項３】
前記ＩＣチップの収納壁の少なくとも一部は、厚さが０μｍより大きく、９０μｍ以下であることを特徴とする請求項１または２に記載の個体認証媒体。
【請求項４】
前記ＩＣチップと前記視覚情報を有する部材は一体に成型されてなることを特徴とする請求項１ないし３のいずれかに記載の個体認証媒体。
【請求項５】
前記ＩＣチップと前記視覚情報を有する部材は、熱硬化型接着剤を用いて、一体化されてなることを特徴とする請求項１ないし４のいずれかに記載の個体認証媒体。
【請求項６】
前記視覚情報を有する部材は、金箔からなることを特徴とする請求項１ないし５のいずれかに記載の個体認証媒体。
【請求項７】
前記視覚情報は、文字、図柄からなることを特徴とする請求項１ないし６のいずれかに記載の個体認証媒体。
【請求項８】
前記個体認証媒体は、物品と共に、同一ケース内に封入して用いることを特徴とする請求項１ないし７のいずれかに記載の個体認証媒体の使用方法。
【請求項９】
請求項１ないし７のいずれかに記載の個体認証媒体が、物品と共に、同一ケース内に封入されてなることを特徴とする遊技施設用景品。
【請求項１０】
基材上に、アンテナおよび前記アンテナに接続されてなる１個以上のＩＣチップが配され、前記ＩＣチップの収納壁の少なくとも一部に、物品の少なくとも一部が固定されてなり、さらに前記物品の少なくとも一部に視覚的情報を有する部材が固定されてなり、前記視覚情報を有する部材または前記ＩＣチップまたは前記物品の少なくとも一部に、前記視覚情報を有する部材または前記ＩＣチップのいずれかが前記物品から剥離する程度の外力を加えることにより、前記ＩＣチップが正常動作不能に損壊することを特徴とする遊技施設用景品。
【請求項１１】
前記ＩＣチップの収納壁の少なくとも一部は、厚さが０μｍより大きく、９０μｍ以下であることを特徴とする請求項１０記載の遊技施設用景品。
【請求項１２】
前記ＩＣチップと前記物品は一体に成型されてなることを特徴とする請求項１０または１１のいずれか記載の遊技施設用景品。
【請求項１３】
前記ＩＣチップと前記物品は、熱硬化型接着剤を用いて、一体化されてなることを特徴とする請求項１０ないし１２のいずれかに記載の遊技施設用景品。
【請求項１４】
前記視覚情報を有する部材は、金箔からなることを特徴とする請求項１０ないし１３のいずれかに記載の遊技施設用景品。
【請求項１５】
前記視覚情報は、文字、図柄からなることを特徴とする請求項１０ないし１４のいずれかに記載の遊技施設用景品。
【請求項１６】
前記遊技施設用景品は、ケース内に封入されてなることを特徴とする請求項１０ないし１５のいずれかに記載の遊技施設用景品。
【発明の詳細な説明】
【技術分野】
【０００１】
本発明は、個体認証媒体に関するもので、特に、不正使用や偽造判別のための真偽判定に好適な個体認証媒体および遊技施設用景品に関するものである。
【背景技術】
【０００２】
一般にパチンコ店のような遊技施設は、例えば、顧客がゲームによって獲得したパチンコ玉を、顧客が希望する景品に交換する。これら交換済みの景品は、さらに前記顧客が、いわゆる古物商に売却して換金する。古物商は、前記景品の価値を判断し、相応の金額で買い取るが、前記景品は多種多様であるため、価値の判断を正確に行うことが難しい。
【０００３】
そこで、遊技施設は、換金目的の顧客向けに、特殊景品と呼ばれる遊技施設用景品、すなわち、売却換金を目的とする専用の景品を予め用意しておく。前記顧客は、獲得したパチンコ玉を前記遊技施設用景品と交換する。これら遊技施設用景品は、種類が限定されているので、古物商は遊技施設用景品の種類と数を確認するだけで、買取り価格を容易に決定することができる。この方法は、古物商の買取り業務の簡素化に貢献するばかりでなく、買取り価格決定に伴うトラブル防止にも寄与することから、従来、遊技施設や古物商の間で広く利用されている。
【０００４】
しかしながら、上記正規の遊技施設用景品以外の、安価な偽造品や改竄品を正規の遊技施設用景品と偽って、古物商に持ち込むことによる事件も発生している。
【０００５】
このような事件を未然に防止するために、従来から、遊技施設用景品本体の表面にその売却金額などに応じた文字や図柄により構成される認証シンボルを描き、かつ遊技施設用景品の本体である物品をケースに封入することによって偽造や改竄の防止対策が施されていた。前記認証シンボルの文字や図柄は改竄し難いように、繊細な模様を含むよう工夫されている。従って、古物商がケース接着部位における破損の有無や認証シンボルの真偽を判定すれば、偽造や改竄の有無をも判別することが可能であり、偽造品や改竄品の購入を防止することができる。
【０００６】
図４は、従来の遊技施設用景品の説明図である。
【０００７】
ケース２１内に、物品２３を接着剤２６にて固定し、遊技施設用景品２０を構成する。物品２３の上面には視覚的認証機能を有する認証シンボル２２が描かれている。
【０００８】
上記の場合、古物商が目視により、認証シンボル２２の真偽を判断し、物品２３の真偽判定を行わなければならない。しかしながら、古物商は、膨大な量の遊技施設用景品を取り扱うため、手作業で真偽判定を精度良く行うのは困難である。
【０００９】
この問題を解消するために、機械的に真偽判定を実施可能な認証シンボルが配された遊技施設用景品が提案されている。
【００１０】
図５は、従来の認証シンボルの説明図で、表面の部分拡大図である。
【００１１】
認証シンボルに配置された真偽判定手段３１は、四角錐形状体を規則的に並べて構成した凹凸部３２からなる。前記構成により、凹凸部３２は、複数の異なる向きの傾斜を有する金属光沢面を有する。この認証シンボルを貼り付けた遊技施設用景品を、図示しない判定装置内に載置してレーザ光などの所定の光を照射すると、凹凸部３２の各面での反射光が互いに干渉し合い、結像部に位置するスクリーン上に固有の図柄が映し出される。古物商は、この映し出された図柄を見て、真偽判定を行う。このような認証シンボルは例えば、特許文献１に開示されている。
【００１２】
図６は、従来の遊技施設用景品の説明図で、各構成部材を積層した方向の断面図である。
【００１３】
物品４１はケース下蓋４２およびケース上蓋４３の間に封入されており、物品４１の上下両面には、真偽判別層４４が設けられている。真偽判別層４４は、たとえば、スズ酸化物材料で文字や図柄が描かれている。古物商が、遊技施設用景品２０を、図示しない光学的判定装置内に載置すると、スズ酸化物材料によって描かれた文字や図柄が映像化される。古物商はこの文字や図柄を見て、遊技施設用景品２０の真偽判定を行う。なお、真偽判別層４４が物品４１の上面および下面に配されているのは、ケースの向きを考慮せずに光学的判定装置内に載置可能だからである。このような遊技施設用景品は例えば、特許文献２に開示されている。
【００１４】
さらに、近年は、ＩＣモジュールを遊技施設用景品の物品自体や、前記物品を封入したケース内に配し、ＩＣチップに記憶させた種々の情報によって、遊技施設用景品の管理や真偽判定を行う遊技施設用景品管理システムも提案されている。
【００１５】
図７は、従来の遊技施設用景品を説明する図で、分解斜視図である。
【００１６】
ケース下蓋５２に設けられた物品収納部５５に物品５３を、ＩＣタグ収納部５６にはＩＣタグ５４をそれぞれ収納し、ケース上蓋５１で覆い、物品５３とＩＣタグ５４をケースに封入している。ＩＣタグ５４には、遊技施設用景品情報が記憶され、この情報を図示しない装置で読み出して、景品の管理、真偽判定を行う。このようなケースの一部にＩＣタグやＩＣモジュールを内蔵した遊技施設用景品は、例えば、特許文献３、特許文献４、特許文献５に開示されている。
【００１７】
【特許文献１】特開平５−２６６２６６号公報
【特許文献２】実開平６−５７３８８号公報
【特許文献３】特開平１０−１８７９０２号公報
【特許文献４】特開平１０−２５６９６０号公報
【特許文献５】特開２００２−３２０７６１号公報
【発明の開示】
【発明が解決しようとする課題】
【００１８】
しかしながら、従来の認証シンボルやこれを施した遊技施設用景品は、すでに偽造や改竄の対象となっている。また、ＩＣタグやＩＣモジュールを内蔵した遊技施設用景品は、視覚判別用の認証シンボルを、ＩＣタグやＩＣモジュールに置き換えただけであり、視覚情報のかわりにＩＣチップ内の情報を用いるだけである。また、ＩＣタグやＩＣモジュールは、遊技施設用景品の本体である物品を収納するケースに付設するので、ケース自体を交換することにより、偽造を行うことも可能である。従って、ＩＣモジュールそのものを交換する、もしくは、データの改竄を行えば、真偽判定は難しくなる。また、ＩＣモジュール改竄の痕跡を、判定者が各遊技施設用景品について個別に目視検出するのにも限界がある。
【００１９】
本発明は、このような従来の真偽判定手段が有していた問題を解決しようとするものである。すなわち、短時間で真偽判別が可能であり、万一改竄された場合は、その痕跡を明瞭に残すことにより、真偽判定の信頼性を向上させた個体認証媒体および遊技施設用景品を提供するものである。
【課題を解決するための手段】
【００２０】
本発明は、基材上に、ＩＣチップおよびこれに接続されたアンテナが配設され、該ＩＣチップ上面に文字や図柄等の視覚情報を有する部材を固着し一体化した個体認証媒体である。本個体認証媒体は、いわゆる特殊景品と称される遊技施設用景品の本体となる物品に付設するか、または、前記物品を収納したケースの少なくとも一部に付設して、視覚的真偽判定および判定装置を用いた判定、すなわち、ＩＣチップに記憶された固有情報を無線通信手段で読み取ることによる判定で、真偽判定を行うのに用いる。
【００２１】
さらに、本発明は、基材上に、ＩＣチップおよびこれに接続されたアンテナが配設され、該ＩＣチップ上面に前記物品を載置して、接着または一体成型等の手段により一体化し、さらに前記物品に、前記ＩＣチップに記憶された情報と同一の視覚情報を施した部材である認証シンボルを配して、ケースに封入した遊技施設用景品である。
【００２２】
ＩＣチップは、ＲＦ−ＩＤ真偽判別機能を有しており、ＩＣチップに接続されたアンテナを介して、真偽判別装置と通信し、真偽判別結果を通知する。
【００２３】
認証シンボルは、文字や図柄が施されて形成された視覚情報を有する部材で、視覚的真偽判定部として機能するとともに、前記ＩＣチップまたは前記物品の上面に、ＩＣチップまたは物品と密着一体化するように配される。
【００２４】
具体的改竄方法としては、前記認証シンボルを剥がし他の認証シンボルと張り替える、ＩＣチップに記憶されている情報を書き換える、ＩＣモジュールそのものを入れ替える等が想定され、これらの方法はいずれも、認証シンボルやＩＣチップ、ＩＣモジュールに一定以上の強度の外力が加えられる。本発明は、このように一定以上の外力が加えられる改竄が試みられた場合に、ＩＣチップが物理的に破壊し、ＩＣチップに記憶された情報を用いた真偽判定が不能となるように構成する。
【００２５】
すなわち、認証シンボル、物品、ＩＣチップの少なくとも一部に、一定以上の強度の外力が加わった時に、前記ＩＣチップが破損し、正常動作が困難または不能となるように、ＩＣチップ表面の厚さを制御することで実現する。
【００２６】
本発明によれば、基材上に、アンテナおよび前記アンテナに接続されてなる１個以上のＩＣチップを有し、前記ＩＣチップの収納壁の少なくとも一部に、視覚情報を有する部材の少なくとも一部が固定されてなることを特徴とする個体認証媒体が得られる。
【００２７】
本発明によれば、基材上に、アンテナおよび前記アンテナに接続されてなる１個以上のＩＣチップを有し、前記ＩＣチップの収納壁の少なくとも一部に、視覚情報を有する部材の少なくとも一部が固定されてなり、前記視覚情報を有する部材の少なくとも一部が、前記ＩＣチップの収納壁の少なくとも一部から剥離する程度の外力を加えることにより、前記ＩＣチップが正常動作不能に損壊することを特徴とする個体認証媒体が得られる。
【００２８】
本発明によれば、前記ＩＣチップの収納壁の少なくとも一部は、厚さが０μｍより大きく、９０μｍ以下であることを特徴とする個体認証媒体が得られる。
【００２９】
本発明によれば、前記ＩＣチップと前記視覚情報を有する部材は一体に成型されてなることを特徴とする個体認証媒体が得られる。
【００３０】
本発明によれば、前記ＩＣチップと前記視覚情報を有する部材は、熱硬化型接着剤を用いて、一体化されてなることを特徴とする個体認証媒体が得られる。
【００３１】
本発明によれば、前記視覚情報を有する部材は、金箔からなることを特徴とする個体認証媒体が得られる。
【００３２】
本発明によれば、前記視覚情報は、文字、図柄からなることを特徴とする個体認証媒体が得られる。
【００３３】
本発明によれば、前記個体認証媒体は、物品と共に、同一ケース内に封入して用いることを特徴とする個体認証媒体の使用方法が得られる。
【００３４】
本発明によれば、前記個体認証媒体が、物品と共に、同一ケース内に封入されてなることを特徴とする遊技施設用景品が得られる。
【００３５】
本発明によれば、基材上に、アンテナおよび前記アンテナに接続されてなる１個以上のＩＣチップが配され、前記ＩＣチップの収納壁の少なくとも一部に、物品の少なくとも一部が固定されてなり、さらに前記物品の少なくとも一部に視覚的情報を有する部材が固定されてなり、前記視覚情報を有する部材または前記ＩＣチップまたは前記物品の少なくとも一部に、前記視覚情報を有する部材または前記ＩＣチップのいずれかが前記物品から剥離する程度の外力を加えることにより、前記ＩＣチップが正常動作不能に損壊することを特徴とする遊技施設用景品が得られる。
【００３６】
本発明によれば、前記ＩＣチップの収納壁の少なくとも一部は、厚さが０μｍより大きく、９０μｍ以下であることを特徴とする遊技施設用景品が得られる。
【００３７】
本発明によれば、前記ＩＣチップと前記物品は一体に成型されてなることを特徴とする遊技施設用景品が得られる。
【００３８】
前記ＩＣチップと前記物品は、熱硬化型接着剤を用いて、一体化されてなることを特徴とする遊技施設用景品が得られる。
【００３９】
前記視覚情報を有する部材は、金箔からなることを特徴とする遊技施設用景品が得られる。
【００４０】
前記視覚情報は、文字、図柄からなることを特徴とする遊技施設用景品が得られる。
【００４１】
前記遊技施設用景品は、ケース内に封入されてなることを特徴とする遊技施設用景品が得られる。
【発明の効果】
【００４２】
以上述べたように、本発明の個体認証媒体および遊技施設用景品によれば、簡単かつ正確に真偽判定を行うことができる。さらに、視覚情報とＩＣチップ記憶情報の両手段を併用することにより、確実に偽造を防止することができる。
【発明を実施するための最良の形態】
【００４３】
以下、本発明の実施の形態を、図面を用いて説明する。
【００４４】
図１は、本発明による個体認証媒体を示した説明図であり、板状構成品の積層方向断面を示す。
【００４５】
ポリエチレンテレフタレート材や紙、繊維からなる基材７上にアンテナ６を配し、バンプ４を介して、ＩＣチップ３を載置する。ＩＣチップ３の上面には、視覚情報を有する部材である認証シンボル２、すなわち、視覚的認証のための文字や図柄からなる視覚情報を有する部材が形成され、熱硬化型接着剤５により、固定一体化して、個体認証媒体１を構成する。熱硬化型接着剤５の代わりに、樹脂を用いて一体成形するのもよい。
【００４６】
認証シンボル２は、シート状部材に印刷したものであっても、ＩＣチップ３表面に直接形成したものであっても、従来から用いられている方法はいずれでも採用しうるが、金箔や樹脂を用いて、印刷や型押しによって直接形成するのが密着性の向上の観点からは好ましい。なお、認証シンボル２は、ＩＣチップ３の収納壁が変形しない程度の押圧力でＩＣチップ３表面に形成し、ＩＣチップ３を破壊しないようにする。
【００４７】
図２は、本発明による遊技施設用景品を示した説明図である。
【００４８】
図１に示した個体認証媒体１を景品本体となる物品９に載置固定して一体とし、ケース８に封止、封入している。認証シンボル２は、物品９の個体識別情報や価値情報等の任意の情報を、視覚情報として表現している。ＩＣチップ３にも、同様に物品９の個体識別情報や価値情報等の任意の情報が記憶されている。
【００４９】
ケース８は、封入されている認証シンボル２、物品９、ＩＣチップ３等に、何らかの加工を施すためにケース８を開封すると、復元不能となるように封止する構造とするのが好ましい。
【００５０】
アンテナ６およびＩＣチップ３はＲＦ−ＩＤタグを構成している。判定者は、ケース８を、図示しない判定装置に載置またはかざすことにより、ＩＣチップ３に記憶された物品９の情報を読み取り、物品９の真偽判別を行う。
【００５１】
なお、前記ＲＦ−ＩＤタグは、判定装置からの信号を受信すると、ＩＣチップ３に記憶された物品９の個体識別情報を含むデータ信号のレスポンスを送信し、これを受信した判定装置は、物品９の個体認証を行い、真偽を判定する。
【００５２】
加えて、判定者が、必要に応じて、従前通りに、ケース８の外観および認証シンボル２を目視確認することにより、さらに正確に真偽判定を行うことができる。
【００５３】
さらに、ＩＣチップ３は、その収納壁の厚さを薄くし、認証シンボル２の少なくとも一部が、ＩＣチップ３から剥離する程度の外力を加えると、ＩＣチップ３の収納壁に窪みができる程度の厚さとする。種々の実験を試みた結果、ＩＣチップ３の収納壁が、９０μｍ以下であれば良いが、ＩＣチップ３の強度を考慮すると１０μｍ以上、９０μｍ以下に設定したものを使用するのが好ましい。
【００５４】
ＩＣチップ３表面に形成された認証シンボル２を剥離するまたは、重ね貼りする等の改竄によって、ＩＣチップ３の収納壁が変形すると、ＩＣチップ３は物理的に破壊され、記憶された情報の出力が困難または不能となり、判定装置による真偽判定も不能となる。
【００５５】
また、仮に他のＩＣチップを物品９に付け替えたり、記憶された情報を書き換えたりすることが可能であったとしても、認証シンボル２から得られる視覚情報とＩＣチップ３の記憶情報が一致しないため、改竄が発覚するので、真偽判定の精度が高まる。
【００５６】
本発明のＩＣチップ３は、収納壁が薄く設計製造された製品を用いても、既製の製品を研削して所定の厚さにしたものを用いてもよい。なお、熱硬化型接着剤５をはじめとする、充分な接着性能を有し、かつある程度の弾性を有する部材で固定または一体化すれば、通常の使用や運搬によってＩＣチップ３が破壊されることはない。
【００５７】
図３は、本発明による遊技施設用景品を示した説明図であり、各構成部材の積層方向断面を示す。
【００５８】
略直方体のケース８の底部に、アンテナ６およびＩＣチップ３が搭載された基材７を載置する。アンテナ６とＩＣチップ３は、バンプ４を介して接続されている。ＩＣチップ３の上面には物品９が配設されており、アンテナ６、ＩＣチップ３、物品９は熱硬化型接着剤５によって互いに接着されている。
【００５９】
物品９の表面には認証シンボル２、すなわち、視覚的認証のための文字や図柄からなる視覚情報を有する部材が配されており、これらはケース８内に封入、封止されている。ケース８は、物品９に何らかの加工を施すためにケース８を開封すると、復元不能となるように封止する構造とするのが好ましい。
【００６０】
なお、認証シンボル２は、シート状部材に印刷したものであっても、物品９表面に直接形成したものであっても、従来から用いられているものはいずれでも採用し得る。金箔、樹脂等の部材を用いて印刷、型押し等によって、物品９表面に直接形成するのが密着性の向上の観点からは好ましい。また、製造過程におけるＩＣチップ３の破壊を防止するために、認証シンボル２を、物品９に形成した後に、ＩＣチップ３と一体化するのが好ましい。
【００６１】
アンテナ６およびＩＣチップ３はＲＦ−ＩＤタグを構成する。判定者は、ケース８を、図示しない判定装置に載置またはかざすことにより、物品９の真偽判定を行う。ケース８内に構成された、前記ＲＦ−ＩＤタグは、判定装置からの信号を受信すると、ＩＣチップ３に記憶された固有識別番号を含むデータ信号のレスポンスを送信し、判定装置は、このデータ信号を受信して、物品の個体認証を行い、真偽を判定する。
【００６２】
加えて、判定者が、必要に応じて、従前通りにケース８の外観および認証シンボル２を目視確認することにより、さらに正確に真偽判定を行うことができる。
【００６３】
ＩＣチップ３の収納壁は、物品９から、認証シンボル２またはＩＣチップ３の少なくとも一部が剥離する程度の外力を加えられると、ＩＣチップ３の収納壁に窪みや亀裂などの変形が生じる程度の厚さとする。種々の実験を試みた結果、ＩＣチップ３の収納壁の厚さは、１０μｍ以上、９０μｍ以下に設定したものを使用するのが好ましい。
【００６４】
さらに、物品９表面に形成された認証シンボル２を剥離するもしくは重ね貼りする等の改竄を行った場合であっても、ＩＣチップ３に前記改竄行為で発生した外力が伝達し、ＩＣチップ３の収納壁が変形する程度の収納壁厚さとするのがより好ましい。
【００６５】
上記範囲に収納壁厚みを設定することにより、ＩＣチップ３は物理的に破壊され、記憶された情報の出力が困難または不能となり、判定装置による真偽判定も不能となる。
【００６６】
また、他のＩＣチップを物品９に付け替えたり、記憶された情報を書き換えたりした場合は、認証シンボル２から得られる視覚情報と一致しないため、改竄が発覚するので、真偽判定の精度が高まる。
【００６７】
本発明のＩＣチップ３は、収納壁が薄く設計製造された製品を用いても、既製の製品を研削して所定の厚さにしたものを用いてもよい。なお、熱硬化型接着剤５をはじめとする、充分な接着性能を有し、かつある程度の弾性を有する部材で固定または一体化すれば、通常の使用や運搬によってＩＣチップ３が破壊されることはない。
【実施例】
【００６８】
図１および図２を用いて、実施例を説明する。
【００６９】
（実施例１）
ポリエチレンテレフタレートからなる基材７表面に、銅を用いてアンテナ６を印刷形成した。なお、アンテナは印刷形成を採用したが、エッチング手法での形成も可能である。次にＲＦ−ＩＤ認証用に適したＩＣチップ３を研削して得た、ＩＣチップ収納壁の厚さが５０μｍのＩＣチップを、前記アンテナ６上にフリップチップ実装し、バンプ４を介してアンテナ６とＩＣチップ３が電気的に接続されるように構成した。
【００７０】
続いて、ＩＣチップ３、アンテナ６、基材７およびバンプ４を、熱硬化型接着剤５で一体となるよう接着した。さらに、ＩＣチップ３露出面に、金箔を貼り付け、その上に、認証シンボル２を印刷形成し、個体認証媒体１を得た。印刷は、ＩＣチップ３の収納壁が変形しない程度の押圧力で実施した。
【００７１】
前記個体認証媒体１をコイン状の物品９に熱硬化型接着剤５を用いて接着し、全体がケース内で移動しないように係止して、ケース８に封止、封入し、遊技施設用景品１０とした。
【００７２】
上記遊技施設用景品１０を、別途用意した判定装置に近づけ、ＩＣチップ３からの固有識別番号を含むデータ信号のレスポンスを検出し、真偽判定が正しく行われたことを確認した。
【００７３】
続いて、認証シンボル２の一部を削り取って、同程度の面積の金箔を新たに貼り付け、図柄を改竄し、別途用意したケース８と同様のケースに封入した。前記判定装置を用いて同様の真偽判定を行ったところ、データ信号のレスポンスが検出できず、ＩＣチップ３が正常に動作しないことから改竄されたことを認識した。
【００７４】
（実施例２）
図３を用いて、実施例を説明する。
【００７５】
ポリエチレンテレフタレートからなる基材７表面に、アンテナ６を、銅を用いて印刷形成した。なお、アンテナ６は印刷手法で形成したが、エッチング手法で形成することも可能である。次にＲＦ−ＩＤ認証用に適したＩＣチップ３を研削して得た、ＩＣチップ収納壁の厚さが５０μｍのＩＣチップを、前記アンテナ６上にフリップチップ実装し、バンプ４を介してアンテナ６とＩＣチップ３が電気的に接続されるように構成した。
【００７６】
続いて、ペンダントトップである物品９、ＩＣチップ３、アンテナ６、基材７およびバンプ４を、熱硬化型接着剤５で一体となるよう接着した。物品９は、あらかじめ、露出面の一部に下地塗装し、その上に認証シンボル２を印刷形成しておいた。
【００７７】
前記物品９等を、全体がケース内で移動しないように係止して、ケース８に封止、封入し、遊技施設用景品１０とした。
【００７８】
前記遊技施設用景品１０を、別途用意した判定装置に近づけ、ＩＣチップ３からの固有識別番号を含むデータ信号のレスポンスを検出し、真偽判定が正しく行われたことを確認した。
【００７９】
続いて、認証シンボル２を削り取って、他のシート状の認証シンボルを新たに貼り付け、図柄を改竄し、別途用意したケース８と同様のケースに封入した。前記判定装置を用いて同様の真偽判定を行ったところ、データ信号のレスポンスは検出できず、ＩＣチップ３が正常に動作しないことから、改竄されたことを認識した。
【００８０】
以上、図面を用いて、この発明の実施の形態および実施例を説明したが、この発明は、これらの図面に限られるものではなく、この発明の要旨を逸脱しない範囲の設計変更があっても本発明に含まれる。すなわち、当業者であれば、当然なしえるであろう各種変形、修正もまた本発明に含まれる。
【産業上の利用可能性】
【００８１】
本発明の個体認証媒体および遊技施設用景品を用いることにより、偽造されやすい各種物品、金券、チケットなどの管理に代表される多様な情報システムを構築、運用することができる。
【図面の簡単な説明】
【００８２】
【図１】本発明による個体認証媒体を示した説明図である。
【図２】本発明による遊技施設用景品を示した説明図である。
【図３】本発明による遊技施設用景品を示した説明図である。
【図４】従来の遊技施設用景品の説明図である。
【図５】従来の認証シンボルの説明図である。
【図６】従来の遊技施設用景品の説明図である。
【図７】従来の遊技施設用景品を説明する図である。
【符号の説明】
【００８３】
１    個体認証媒体
２、２２    認証シンボル
３    ＩＣチップ
４    バンプ
５    熱硬化型接着剤
６    アンテナ
７    基材
８、２１    ケース
９、２３、４１、５３    物品
１０、２０    遊技施設用景品
２６    接着剤
３１    真偽判定手段
３２    凹凸部
４２、５２    ケース下蓋
４３、５１    ケース上蓋
４４    真偽判別層
５４    ＩＣタグ
５５    物品収納部
５６    ＩＣタグ収納部
【図１】
2007209673.tif 000003
【図２】
2007209673.tif 000004
【図３】
2007209673.tif 000005
【図４】
2007209673.tif 000006
【図５】
2007209673.tif 000007
【図６】
2007209673.tif 000008
【図７】
2007209673.tif 000009